【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
多相流体ストリームのための流れ分配システムであって、前記システムが、
入口パイプから多相流体ストリームを受け取るための入口と、
前記多相流体ストリームの一部をそれぞれの出口パイプまで各々が送出するための複数の出口と、
前記入口及び前記複数の出口に流体連通された内側チャンバを形成する中空ハウジングであって、前記ハウジングが中心長手方向軸線を有し、前記内側チャンバが、前記複数の出口と比較して前記入口により接近するように配置された第１のチャンバ部分及び前記複数の出口に隣接する第２のチャンバ部分を有する、中空ハウジングと、
前記ハウジングの前記中心長手方向軸線に直交する平面で測定する場合に、断面積の変化する流れチャンネルを画定するように前記チャンバ内で位置決めされる非平坦分流器であって、前記第１のチャンバ部分が、前記流れチャンネル内で、前記流れチャンネル内の前記第２のチャンバ部分の断面積より小さい断面積を有する、非平坦分流器と
を備える、流れ分配システム。
【請求項２】
前記分流器が、前記第１のチャンバ部分内に配置された第１の分流器部分と、前記第２のチャンバ部分内に配置された第２の分流器部分とを有し、前記流れチャンネルの断面積が第２のチャンバ部分においてより第１のチャンバ部分の方でより小さく、それにより、前記第２の分流器部分に隣接して低圧又は負圧の領域が発生するようになっている、請求項１に記載の流れ分配システム。
【請求項３】
前記第１のチャンバ部分が一定の断面積を有し、前記第２のチャンバ部分が前記第１のチャンバ部分の前記断面積より大きい一定の断面積を有する、請求項１に記載の流れ分配システム。
【請求項４】
前記第１のチャンバ部分が円錐台形である、請求項１に記載の流れ分配システム。
【請求項５】
前記中空ハウジングがその中心長手方向軸線を中心として対称である、請求項１から４までのいずれか一項に記載の流れ分配システム。
【請求項６】
前記ハウジングの前記中心長手方向軸線が前記入口の中心長手方向軸線に平行であるか又は一致する、請求項１から５までのいずれか一項に記載の流れ分配システム。
【請求項７】
前記システムが、前記ハウジングに対して又は前記ハウジングの第１の端部を閉じるのに使用されるアクセス・カバーに対して前記分流器を設置するための設置手段をさらに備える、請求項１から５までのいずれか一項に記載の流れ分配システム。
【請求項８】
前記設置手段が、前記分流器と前記入口との間の距離を調整するために前記分流器の位置を上昇させるか又は降下させるように作動される、請求項７に記載の流れ分配システム。
【請求項９】
前記設置手段が、前記ハウジングの前記中心長手方向軸線を基準として側方又は径方向に前記分流器を移動させるように作動され、それにより、前記分流器の中心長手方向軸線が前記ハウジングの前記中心長手方向軸線からオフセットされる、請求項７又は８に記載の流れ分配システム。
【請求項１０】
前記複数の出口が前記ハウジングの周辺部又は円周の周りに放射状に配置され、前記多相流体ストリームが前記入口から前記複数の出口まで移動するときに（ｉ）少なくとも４５度から１３５度、（ｉｉ）少なくとも６０度から１２０度又は（ｉｉｉ）少なくとも９０度の角度で分流される、請求項１から９までのいずれか一項に記載の流れ分配システム。
【請求項１１】
前記分流器又は前記分流器の一部分が、円錐台形、円筒形、ドーム形、半卵形、半球形又は卵形である、請求項１から１０までのいずれか一項に記載の流れ分配システム。
【請求項１２】
前記分流器が、前記第１の分流器部分と前記第２の分流器部分との間に配置されたディスク形状の第３の分流器部分を有し、前記第３の分流器部分の最も大きい断面積が前記第１及び第２の分流器部分の断面積より大きい、請求項２から１０までのいずれか一項に記載の流れ分配システム。
【請求項１３】
前記第３の分流器部分が前記第１のチャンバ部分又は前記第２のチャンバ部分内に配置された、請求項１２に記載の流れ分配システム。
【請求項１４】
前記分流器が分流器先端部分を有する、請求項１から１３までのいずれか一項に記載の流れ分配システム。
【請求項１５】
各出口が前記ハウジングの周辺部又は円周の周りで均等に間をおいて配置され、したがって前記出口の各々が前記入口から等距離となり、各々の別の出口からも等距離となる、請求項１から１４までのいずれか一項に記載の流れ分配システム。
【請求項１６】
各出口が同心又は偏心のレジューサである、請求項１から１５までのいずれか一項に記載の流れ分配システム。
【請求項１７】
前記流れ分配システムが第１の向きを有し、それにより、前記入口が前記複数の出口と比較してより地面に接近し、前記多相流体ストリームが前記内側チャンバを通って鉛直上向きに移動するようになる、請求項１から１６までのいずれか一項に記載の流れ分配システム。
【請求項１８】
前記流れ分配システムが第２の向きを有し、それにより、前記複数の出口が前記入口と比較してより地面に接近し、前記多相流体ストリームが前記内側チャンバを通って下向きに移動するようになる、請求項１から１６までのいずれか一項に記載の流れ分配システム。
【請求項１９】
請求項１から１８までのいずれか一項に記載の流れ分配システムで使用されるための分流器。
【請求項２０】
入口パイプから複数の出口パイプまで多相流体流れを分配する方法であって、前記方法が、
入口パイプから入口まで多相流体ストリームを提供するステップと、
複数の出口の各々を介してそれぞれの出口パイプまで前記多相流体ストリームの一部を送出するステップと、
前記入口から前記多相流体ストリームを受け取るために前記入口と前記複数の出口との間に配置された内側チャンバを形成する中空ハウジングを提供するステップ、及び、前記多相流体ストリームを前記複数の出口の各々まで送出するステップであって、前記ハウジングが中心長手方向軸線を有し、前記内側チャンバが、前記複数の出口と比較して前記入口により接近するように配置された第１のチャンバ部分と、前記複数の出口に隣接する第２のチャンバ部分とを有する、ステップと、
前記ハウジングの前記中心長手方向軸線に直交する平面内で測定する場合に、断面積の変化する流れチャンネルを画定するために前記チャンバ内で非平坦分流器を位置決めするステップであって、前記第１のチャンバ部分が、前記流れチャンネル内で、前記流れチャンネル内の前記第２のチャンバ部分の断面積より小さい断面積を有する、ステップと、
を含む、方法。
【請求項２１】
前記分流器が、前記第１のチャンバ部分内に配置された第１の分流器部分と、前記第２のチャンバ部分内に配置された第２の分流器部分とを有する、請求項２０に記載の方法。
【請求項２２】
前記ハウジングに対して又は前記ハウジングの第１の端部を閉じるのに使用されるアクセス・カバーに対して前記分流器を設置するステップをさらに含む、請求項２０に記載の方法。
【請求項２３】
前記分流器と前記入口との間の距離を調整するために前記分流器の位置を上昇させるか又は降下させるように設置手段を作動させるステップをさらに含む、請求項２２に記載の方法。
【請求項２４】
前記ハウジングの前記中心長手方向軸線を基準として側方又は径方向に前記分流器を移動させるように設置手段を作動させるステップをさらに含み、それにより、前記分流器の中心長手方向軸線が前記ハウジングの前記中心長手方向軸線からオフセットされる、請求項２２又は２３に記載の方法。
【請求項２５】
第１の向きで前記流れ分配システムを構成するステップをさらに含み、それにより、前記入口が前記複数の出口と比較してより地面に接近し、前記多相流体ストリームが前記内側チャンバを通って鉛直上向きに移動するようになる、請求項２０から２４までのいずれか一項に記載の方法。
【請求項２６】
第２の向きで前記流れ分配システムを構成するステップをさらに含み、それにより、前記複数の出口が前記入口と比較してより地面に接近し、前記多相流体ストリームが前記内側チャンバを通って下向きに移動するようになる、請求項２０から２４までのいずれか一項に記載の方法。